(57)【要約】【課題】座部を上昇させた状態で使用する場合において、常態においては、座部が回動しないようにして、高位置部治療であっても、術者が安定して治療を行うことができる回転椅子を提供する。【解決手段】キャスタ２１を有する脚部と、フットレスト２４と、支柱２３とを有する基部２０と、支柱２３の上部に回動自在に設けられた座部１０と、該座部１０に対して着脱自在に設けられた背凭れ３０を有する。座部１０は背凭れ３０が常態（図示状態）にある時は基部２０に対して回動不可にロックされており、背凭れ３０が後方に押された時に前記ロックが解除されて回動可能となる。背凭れ支持アーム４１の先端にロック用アーム４４の一端を枢着して有し、ロック用アーム４４はその中間部において座部１０に対して枢動自在に固定され、その先端部は、背凭れ支持アームの先端がばね部材４３によって後方に押圧されている時に、基部２０に対してロックされている。【選択図】図１
2007021060.tif 000002
【特許請求の範囲】
【請求項１】
キャスタを有する脚部と、該脚部の上方部に設けられたフットレストと、該脚部から上方に延長する支柱とを有する基部と、前記支柱の上部に回動自在に設けられた座部と、該座部に対して着脱自在に設けられた背凭れを有する回転椅子において、前記座部は前記背凭れが常態にある時は前記基部に対して回動不可にロックされており、前記背凭れが後方に押された時に前記ロックが解除されて回動可能となることを特徴とする回転椅子。
【請求項２】
前記背凭れを支持し該背凭れを前記座部に対して前後動回動可能に支持した背凭れ支持アームと、該背凭れ支持アームの先端を押圧して前記背凭れを常態に保持するためのばね部材を有することを特徴とする請求項１に記載の回転椅子。
【請求項３】
前記背凭れ支持アームの先端部にロック用アームの一端を枢着して有し、該ロック用アームはその中間部において前記座部に対して枢動自在に固定され、その先端部は、前記背凭れ支持アームの先端が前記ばね部材によって後方に押圧されている時に、前記基部に対してロックされていることを特徴とする請求項１又は２に記載の回転椅子。
【請求項４】
前記背凭れ支持アームは前記座部と一体の第１のアームを支点として前後に回動可能に前記座部に取り付けられ、該背凭れ支持アームの下端部は屈曲して前方に延長し、その先端が前記ばね部材と係合し、常時は、前記背凭れ支持アームの先端が前記ばね部材によって後方へ押圧され、それによって、前記背凭れが常態に保持されていることを特徴とする請求項１乃至３のいずれかに記載の回転椅子。
【請求項５】
前記ロック用アームはその一端が前記背凭れ支持アームの前記屈曲延長部の先端部に取り付けられ、そこから下方に延長する第１の延長部と、該第１の延長部の下部から前方に延長する第２の延長部とから成り、前記第１の延長部が前記座部と一体の第２のアームに該第２のアームを支点として前後に回動可能に取り付けられ、前記背凭れが後方に押された時に、前記第２のアームの延長部先端が前記基部に設けられたロック係合部から解除されることを特徴とする請求項１乃至４のいずれかに記載の回転椅子。
【発明の詳細な説明】
【技術分野】
【０００１】
本発明は、回転椅子、より詳細には、歯科治療等において、高部位での治療を、術者が安定した状態で行うことができるようにした回転椅子に関する。
【背景技術】
【０００２】
図４は、従来の回転椅子の一例を説明するための図で、図中、１０は座部、２０は基部、３０は背凭れ部で、座部１０は基部２０に対して回動自在にかつ上下位置調整可能に取り付けられており、背凭れ部３０は座部１０に対して着脱自在に、例えば、座部１０から延長するパイプ１に背凭れ部３０の支持アーム２の先端を挿入し、ボルト３等によって締め付けて固定している。
【０００３】
座部１０は、座板１１と、該座板１１を載せる基板１２と、該基板１２を基部２０に対して回動自在に支持する回転支持柱（ピストン軸）１３とから成り、好ましくは、座板１１は基板１２に対して前後方向に移動可能（位置調整可能）に取り付けられ、回転支持柱１３は基部２０に対して回転可能に取り付けられている。
【０００４】
基部２０は、キャスタ２１（４〜５個）と、これらキャスタを取り付けるためのアーム２２とからなる脚部と、該脚部上に設けられた上下動機構とを有する。上下動機構は、例えば、基部２０に固定されたシリンダ（支柱）２３と該シリンダ内を上下動するピストン（回転支持柱）１３とからなり、高い部位を診療する時は、該上下動機構を作動して回転支持柱１３を上昇させるが、この時、術者の足が床面に届かなくなって、不安定になるのを防ぐために、術者が足を載せるためのリング状の足載せ（フットレスト）２４を脚部の上方に有する。
【発明の開示】
【発明が解決しようとする課題】
【０００５】
上述のごとき、従来の回転椅子は、術部（治療箇所）が低い場合には、術者は、座部１０に腰掛け、足を床面につけた状態で治療を行うことができるが、術部が高い位置である場合には、座部１０を上昇させ、この座部１０を上昇させた状態で該座部１０に腰掛けて治療を行うが、その場合、足が床面に届かず、そのため、足をフットレスト２４に載せて治療を行っている。
【０００６】
しかし、上述のように、座部１０を上昇させた状態で治療を行う場合、術者は、足をフットレスト２４にしっかり載せていないと、座部１０が回転してしまい不安定である。また、足をフットレスト２４にしっかり載せた場合でも、力の入れ方によっては、キャスタ２１によって椅子全体が動いてしまい、不安定であり、危険でもある。
【０００７】
本発明は、上述のごとき、従来の回転椅子における問題点を解決するためになされたもので、特に、座部を上昇させた状態で使用する場合において、常態においては、座部が回動しないようにして、高位置部治療であっても、術者が安定して治療を行うことができる回転椅子を提供することを目的としてなされたものである。
【課題を解決するための手段】
【０００８】
請求項１の発明は、キャスタを有する脚部と、該脚部の上方部に設けられたフットレストと、該脚部から上方に延長する支柱とを有する基部と、前記支柱の上部に回動自在に設けられた座部と、該座部に対して着脱自在に設けられた背凭れを有する回転椅子において、前記座部は前記背凭れが常態にある時は前記基部に対して回動不可にロックされており、前記背凭れが後方に押された時に前記ロックが解除されて回動可能となることを特徴としたものである。
【０００９】
請求項２の発明は、請求項１の発明において、前記背凭れを支持し該背凭れを前記座部に対して前後動回動可能に支持した背凭れ支持アームと、該背凭れ支持アームの先端を押圧して前記背凭れを常態に保持するためのばね部材を有することを特徴としたものである。
【００１０】
請求項３の発明は、請求項１又は２の発明において、前記背凭れ支持アームの先端部にロック用アームの一端を枢着して有し、該ロック用アームはその中間部において前記座部に対して枢動自在に固定され、その先端部は、前記背凭れ支持アームの先端が前記ばね部材によって後方に押圧されている時に、前記基部に対してロックされていることを特徴としたものである。
【００１１】
請求項４の発明は、請求項１乃至３のいずれかの発明において、前記背凭れ支持アームは前記座部と一体の第１のアームを支点として前後に回動可能に前記座部に取り付けられ、該背凭れ支持アームの下端部は屈曲して前方に延長し、その先端が前記ばね部材と係合し、常時は、前記背凭れ支持アームの先端が前記ばね部材によって後方へ押圧され、それによって、前記背凭れが常態に保持されていることを特徴としたものである。
【００１２】
請求項５の発明は、請求項１乃至４のいずれかの発明において、前記ロック用アームはその一端が前記背凭れ支持アームの前記屈曲延長部の先端部に取り付けられ、そこから下方に延長する第１の延長部と、該第１の延長部の下部から前方に延長する第２の延長部とから成り、前記第１の延長部が前記座部と一体の第２のアームに該第２のアームを支点として前後に回動可能に取り付けられ、前記背凭れが後方に押された時に、前記第２のアームの延長部先端が前記基部に設けられたロック係合部から解除されることを特徴としたものである。
【発明の効果】
【００１３】
本発明によると、キャスタを有する脚部と、該脚部の上方部に設けられたフットレストと、該脚部から上方に延長する支柱とを有する基部と、前記支柱の上部に回動自在に設けられた座部と、該座部に対して着脱自在に設けられた背凭れを有する回転椅子において、前記座部は前記背凭れが常態にある時は前記基部に対して回動不可にロックされており、前記背凭れが後方に押された時に前記ロックが解除されて回動可能となるようにしたので、座部を上昇した状態で、該座部に座って足をフットレストに載せた状態で治療を行う場合であっても、座部が簡単には回動しないので、安心（安定）して治療に専念することができる。
【発明を実施するための最良の形態】
【００１４】
本発明は、上述のごとき従来の回転椅子における問題を解決するためになされたもので、特に、座部の回動を、常時は、抑止しておき、術者の意図した動作によって回動可能とし、もって、前述のごとき、従来技術における回転椅子の問題を解決したものである。
【００１５】
図１は、本発明による回転椅子の一実施例を説明するための全体構成図、図２は、ロック用アームの動作説明をするための要部構成図、図３は、ロック機構の一例を説明するための要部構成図で、図中、図４に示した回転椅子と同様の作用をする場合には、図４の場合と同一の参照番号が付してある。
【００１６】
図１，図２において、４１は背凭れ部３０を支持する背凭れ支持アームで、該背凭れ支持アーム４１は、途中に軸４１ａを有し、該軸４１ａは、座部１０から延長するアーム４２に設けられたスリット４２ａ内に、回動可能に取り付けられており、常時は、該背凭れ支持アーム４１の先端がばね部材４３によって押されて、背凭れ部３０は図示の状態に保たれている。背凭れ支持アーム４１の先端部には、軸４１ｂが設けられており、この軸４１ｂにロック用アーム４４の一端が回動自在に設けられている。ロック用アーム４４は、その中間部において軸４４ａを有し、この軸４４ａが、座部１０から延長するアーム４５に設けられたスリット４５ａ内を移動し、背凭れ部３０が矢印Ａ方向に押された時に、背凭れ支持アーム４１が軸４１ａを中心に矢印Ｂ方向に回転し、該背凭れ支持アーム４１の先端が矢印Ｃ方向に移動し、ばね部材４３を圧縮する。
【００１７】
背凭れ支持アーム４１の先端が矢印Ｃ方向に移動すると、ロック用アーム４４は軸４４ａを支点として回動し、該ロック用アーム４４の先端部が矢印Ｄ方向に移動し、該ロック用アーム４４の先端部に設けられているロックボール４６が基部２０に設けられているロック溝４８から外れ（図３参照）、座部１０が回動可能になる。逆に、背凭れ３０が押されない状態（図示の状態）の時は、背凭れ支持アーム４１の先端がばね４３によって矢印Ｃ’の方向に押し返され、これによって、ロック用アーム４４の先端が矢印Ｄ’の方向に押され、これによって、ロックボール４６が基部（固定部）のロック溝４８と係合し、これによって、座部１０の回転が抑止されている。なお、ロックボール４６はばね４７によって常時ロック溝４８に押圧されており、これによって、座部１０を基部２０に対して回転する時の回動がスムーズに行われるようにしている。
【図面の簡単な説明】
【００１８】
【図１】本発明による回転椅子の一実施例を説明するための概略全体構成図である。
【図２】本発明による回転抑止機構の一例を説明するための要部構成図である。
【図３】本発明による回転抑止機構部の外観を説明するための要部斜視図である。
【図４】従来の回転椅子の一例を説明するための図である。
【符号の説明】
【００１９】
１０…座部、１１…座板、１２…基板、１３…回転支持柱（ピストン軸）、２０…基部、２１…キャスタ、２２…アーム、２３…シリンダ（支柱）、２４…フットレスト、３０…背凭れ部、４１…背凭れ支持アーム、４１ａ，４１ｂ…軸、４２…アーム、４２ａ…スリット、４３…ばね部材、４４…ロック用アーム、４４ａ…軸、４５…アーム、４５ａ…スリット、４６…ロックボール、４７…ばね、４８…ロック溝。
【図１】
2007021060.tif 000003
【図２】
2007021060.tif 000004
【図３】
2007021060.tif 000005
【図４】
2007021060.tif 000006